(57)【要約】【課題】選択的に機能が拡張できる車載表示装置を提供する。【解決手段】中央情報表示装置１０と、拡張装置２０と、中央情報表示装置１０とは別体の個別機能装置３０とを備える。個別機能装置３０は中央情報表示装置１０の機能を格納するアプリケーションソフトを格納する記憶装置を備える。このアプリケーションソフトを実行するＣＰＵは、中央情報表示装置１０にある場合と、拡張装置２０にある場合と、個別機能装置３０にある場合がある。
2010026756.tif 000002
【特許請求の範囲】
【請求項１】
液晶表示ディスプレイを有し前記液晶ディスプレイに映像を表示させる中央情報表示装置と、
前記中央情報表示装置とは別体に構成され前記中央情報装置の機能を拡張する個別機能装置と前記中央情報表示装置とを接続する拡張装置と、
を備えることを特徴とする車載用表示装置。
【請求項２】
前記中央情報表示装置が前記中央情報表示装置の機能を拡張するためのアプリケーションソフトを実行するＣＰＵとデータ通信を制御するデータ通信コントローラとを備え、
前記拡張装置が前記データ通信コントローラに接続可能なＨＵＢを備える、
ことを特徴とする請求項１記載の車載用表示装置。
【請求項３】
前記拡張装置が、
前記中央情報表示装置の機能を拡張するためのアプリケーションソフトを実行するＣＰＵと、
データ通信を制御するデータ通信コントローラと、前記データ通信コントローラに接続可能なＨＵＢと、
を備えることを特徴とする請求項１記載の車載用表示装置。
【請求項４】
前記中央情報表示装置とは別体に構成される前記個別機能装置が前記中央情報表示装置の機能を拡張するためのアプリケーションソフトを格納する秘匿領域を持つメモリと前記アプリケーションソフトを実行するＣＰＵと備え、
前記中央情報表示装置と前記個別機能装置を接続する前記拡張装置が、
前記ＣＰＵとデータ通信を制御するデータ通信コントローラと前記データ通信コントローラに接続可能なＨＵＢを備える、
ことを特徴とする請求項１記載の車載用表示装置。
【請求項５】
前記中央情報表示装置が前記中央情報表示装置とは別体に構成され前記中央情報装置の機能を拡張する個別機能装置を識別する機能を有することを特徴とする請求項１記載の車載用表示装置。
【請求項６】
前記中央情報表示装置が前記中央情報表示装置とは別体に構成された前記個別機能装置のアプリケーションソフトを格納するメモリの秘匿領域にある識別データと前記中央情報表示装置に格納された識別データとが一致する場合に前記個別機能装置を認証する機能を有することを特徴とする請求項５記載の車載用表示装置。
【請求項７】
液晶ディスプレイに映像を表示させる中央情報表示装置と前記中央情報表示装置の機能を拡張する個別機能装置とは別体に構成され、前記中央情報表示装置と前記個別機能装置とを接続することを特徴とする拡張装置。
【請求項８】
前記中央情報表示装置の機能を拡張するためのアプリケーションソフトを実行するＣＰＵとデータ通信を制御するデータ通信コントローラとを備えた前記中央情報表示装置と、前記アプリケーションソフトを格納する秘匿領域を持つメモリを備える前記個別機能装置が別体に構成され、前記中央情報表示装置と前記個別機能装置とを接続し、
前記データ通信コントローラに接続可能なＨＵＢを備える、
ことを特徴とする請求項７記載の拡張装置。
【請求項９】
前記中央情報表示装置と、前記中央情報表示装置の機能を拡張するためのアプリケーションソフトを格納する秘匿領域を持つメモリを備える前記個別機能装置が別体に構成され、前記中央情報表示装置と前記個別機能装置とを接続し、
前記中央情報表示装置の機能を拡張するためのアプリケーションソフトを実行するＣＰＵと、データ通信を制御するデータ通信コントローラと、前記データ通信コントローラに接続可能なＨＵＢとを備えた
ことを特徴とする請求項７記載の拡張装置。
【請求項１０】
前記中央情報表示装置と、前記中央情報表示装置の機能を拡張するためのアプリケーションソフトを格納する秘匿領域を持つメモリと、前記アプリケーションソフトを実行するＣＰＵとを備える前記個別機能装置とを接続し、
ＣＰＵと、データ通信を制御するデータ通信コントローラと、前記データ通信コントローラに接続可能なＨＵＢを備えた
ことを特徴とする請求項７記載の拡張装置。
【請求項１１】
液晶ディスプレイに映像を表示させる中央情報表示装置と前記中央情報表示装置の機能を拡張する個別機能装置とは別体に構成され、前記中央情報表示装置と前記個別機能装置とを接続し、前記中央情報装置の機能を拡張する個別機能装置を識別する機能を有することを特徴とする請求項７記載の拡張装置。
【請求項１２】
前記中央情報表示装置が前記中央情報表示装置とは別体に構成された前記個別機能装置のアプリケーションソフトを格納するメモリの秘匿領域にある識別データと拡張装置に格納された識別データとが一致する場合に前記個別機能装置を認証する機能を有することを特徴とする請求項１１記載の拡張装置。
【請求項１３】
液晶ディスプレイに映像を表示させる中央情報表示装置とは別体に構成され、前記中央情報表示装置とは拡張装置によって接続され、前記中央情報装置の機能を拡張することを特徴とする個別機能装置
【請求項１４】
前記中央情報表示装置の機能を拡張するためのアプリケーションソフトを実行するＣＰＵと、データ通信を制御するデータ通信コントローラとを備えた前記中央情報表示装置とは別体に構成され、前記中央情報表示装置とは、
前記データ通信コントローラに接続可能なＨＵＢを備えた前記拡張装置によって接続された、
前記個別機能装置が、前記アプリケーションソフトを格納する秘匿領域を持つメモリを備える、
ことを特徴とする請求項１３記載の個別機能装置。
【請求項１５】
前記中央情報表示装置とは、
前記中央情報表示装置の機能を拡張するためのアプリケーションソフトを実行するＣＰＵと、データ通信を制御するデータ通信コントローラと、前記データ通信コントローラに接続可能なＨＵＢとを備えた拡張装置によって接続された、
前記個別機能装置が、前記アプリケーションソフトを格納する秘匿領域を持つメモリを備える、
ことを特徴とする請求項１３記載の個別機能装置。
【請求項１６】
前記中央情報表示装置とは、
ＣＰＵと、データ通信を制御するデータ通信コントローラと、前記データ通信コントローラに接続可能なＨＵＢを備えた拡張装置によって接続された、
前記個別機能装置が、前記中央情報表示装置の機能を拡張するためのアプリケーションソフトを格納する秘匿領域を持つメモリと、前記アプリケーションソフトを実行するＣＰＵとを備える、
ことを特徴とする請求項１３記載の個別機能装置。
【請求項１７】
前記中央情報表示装置が前記中央情報表示装置とは別体に構成され前記中央情報装置の機能を拡張する個別機能装置を識別する機能を有することを特徴とする請求項１３記載の個別機能装置。
【請求項１８】
前記中央情報表示装置が前記中央情報表示装置とは別体に構成された前記個別機能装置のアプリケーションソフトを格納するメモリの秘匿領域にある識別データと前記中央情報表示装置に格納された識別データとが一致する場合に前記個別機能装置を認証する機能を有することを特徴とする請求項１７記載の個別機能装置。
【発明の詳細な説明】
【技術分野】
【０００１】
本発明は、車載用表示装置、拡張装置及び個別機能装置に係り、特に選択的に機能が拡張できる車載用表示装置、拡張装置及び個別機能装置に関する。
【背景技術】
【０００２】
車載用表示装置は高機能化が進んできている。すなわち、車載用表示装置は自動車のおかれた環境を表示する中央情報表示装置として用いられるだけでなく、ラジオやＣＤプレーヤーのコントロールパネルとして利用され、また、カーナビゲーションシステムの表示装置を兼ねることもある。さらに、テレビジョン受像機の表示パネルとして利用されることもある。【０００３】
従来の車載用表示装置は、これらの複数の機能をあらかじめ組み込んだ状態で構成されていた（例えば、特許文献１参照）。
【先行技術文献】
【特許文献】
【０００４】
【特許文献１】特開２００８−１４３５２０号公報
【発明の開示】
【発明が解決しようとする課題】
【０００５】
特許文献１に記載の技術などにみられる従来の車載用表示装置においては、一部のユーザにとって不要な機能も分離不可能な状態に構成されている。このため、これらのユーザにとっては、従来の車載用表示装置の価格は割高なものとなっていた。【０００６】
一方、車載用表示装置に関する新たな技術が開発されても、これをユーザが既に購入した車載用表示装置に追加しなければならないことが多々あり、結果的に新技術を欲するユーザは車載用表示装置を買い替えなければならなかった。【０００７】
本発明は上記のような問題点に鑑みてなされたものであり、選択的に機能が拡張できる車載用表示装置、拡張装置及び個別機能装置を提供することを目的とする。
【課題を解決するための手段】
【０００８】
この目的を達成するために本発明は、液晶表示ディスプレイを有し、液晶ディスプレイに映像を表示させる中央情報表示装置と、中央情報表示装置とは別体に構成され、中央情報装置の機能を拡張する個別機能装置と、中央情報表示装置と個別機能装置とを接続する拡張装置と、を備える車載表示装置、拡張装置及び個別機能装置を提供する。【０００９】
また、本発明は、液晶表示ディスプレイを有し前記液晶ディスプレイに映像を表示させる中央情報表示装置と、前記中央情報表示装置とは別体に構成され前記中央情報装置の機能を拡張する個別機能装置と前記中央情報表示装置とを接続する拡張装置とを備え車載用表示装置を提供する。  
また、本発明は、前記中央情報表示装置が前記中央情報表示装置の機能を拡張するためのアプリケーションソフトを実行するＣＰＵとデータ通信を制御するデータ通信コントローラとを備え、前記拡張装置が前記データ通信コントローラに接続可能なＨＵＢを備えた車載用表示装置を提供する。【００１０】
また、前記拡張装置が、前記中央情報表示装置の機能を拡張するためのアプリケーションソフトを実行するＣＰＵと、データ通信を制御するデータ通信コントローラと、前記データ通信コントローラに接続可能なＨＵＢとを備えた車載用表示装置を提供する。【００１１】
また、前記中央情報表示装置とは別体に構成される前記個別機能装置が前記中央情報表示装置の機能を拡張するためのアプリケーションソフトを格納する秘匿領域を持つメモリと前記アプリケーションソフトを実行するＣＰＵと備え、前記中央情報表示装置と前記個別機能装置を接続する前記拡張装置が、前記ＣＰＵとデータ通信を制御するデータ通信コントローラと前記データ通信コントローラに接続可能なＨＵＢを備えた車載用表示装置を提供する。【００１２】
また、前記中央情報表示装置が前記中央情報表示装置とは別体に構成され前記中央情報装置の機能を拡張する個別機能装置を識別する機能を有する車載用表示装置を提供する。【００１３】
また、前記中央情報表示装置が前記中央情報表示装置とは別体に構成された前記個別機能装置のアプリケーションソフトを格納するメモリの秘匿領域にある識別データと前記中央情報表示装置に格納された識別データとが一致する場合に前記個別機能装置を認証する機能を有する車載用表示装置を提供する。【００１４】
また、液晶ディスプレイに映像を表示させる中央情報表示装置と前記中央情報表示装置の機能を拡張する個別機能装置とは別体に構成され、前記中央情報表示装置と前記個別機能装置とを接続する拡張装置を提供する。【００１５】
また、前記中央情報表示装置の機能を拡張するためのアプリケーションソフトを実行するＣＰＵとデータ通信を制御するデータ通信コントローラとを備えた前記中央情報表示装置と、前記アプリケーションソフトを格納する秘匿領域を持つメモリを備える前記個別機能装置が別体に構成され、前記中央情報表示装置と前記個別機能装置とを接続し、前記データ通信コントローラに接続可能なＨＵＢを備える拡張装置を提供する。【００１６】
また、前記中央情報表示装置と、前記中央情報表示装置の機能を拡張するためのアプリケーションソフトを格納する秘匿領域を持つメモリを備える前記個別機能装置が別体に構成され、前記中央情報表示装置と前記個別機能装置とを接続し、前記中央情報表示装置の機能を拡張するためのアプリケーションソフトを実行するＣＰＵと、データ通信を制御するデータ通信コントローラと、前記データ通信コントローラに接続可能なＨＵＢとを備える拡張装置を提供する。【００１７】
また、前記中央情報表示装置と、前記中央情報表示装置の機能を拡張するためのアプリケーションソフトを格納する秘匿領域を持つメモリと、前記アプリケーションソフトを実行するＣＰＵとを備える前記個別機能装置とを接続し、ＣＰＵと、データ通信を制御するデータ通信コントローラと、前記データ通信コントローラに接続可能なＨＵＢを備える拡張装置を提供する。【００１８】
また、液晶ディスプレイに映像を表示させる中央情報表示装置と前記中央情報表示装置の機能を拡張する個別機能装置とは別体に構成され、前記中央情報表示装置と前記個別機能装置とを接続し、前記中央情報装置の機能を拡張する個別機能装置を識別する機能を有する拡張装置を提供する。【００１９】
また、前記中央情報表示装置が前記中央情報表示装置とは別体に構成された前記個別機能装置のアプリケーションソフトを格納するメモリの秘匿領域にある識別データと拡張装置に格納された識別データとが一致する場合に前記個別機能装置を認証する機能を有する拡張装置を提供する。【００２０】
また、液晶ディスプレイに映像を表示させる中央情報表示装置とは別体に構成され、前記中央情報表示装置とは拡張装置によって接続され、前記中央情報装置の機能を拡張する個別機能装置を提供する。【００２１】
また、前記中央情報表示装置の機能を拡張するためのアプリケーションソフトを実行するＣＰＵと、データ通信を制御するデータ通信コントローラとを備えた前記中央情報表示装置とは別体に構成され、前記中央情報表示装置とは、前記データ通信コントローラに接続可能なＨＵＢを備えた前記拡張装置によって接続された、前記個別機能装置が、前記アプリケーションソフトを格納する秘匿領域を持つメモリを備える個別機能装置を提供する。【００２２】
また、前記中央情報表示装置とは、前記中央情報表示装置の機能を拡張するためのアプリケーションソフトを実行するＣＰＵと、データ通信を制御するデータ通信コントローラと、前記データ通信コントローラに接続可能なＨＵＢとを備えた拡張装置によって接続された、前記個別機能装置が、前記アプリケーションソフトを格納する秘匿領域を持つメモリを備える個別機能装置を提供する。【００２３】
また、前記中央情報表示装置とは、ＣＰＵと、データ通信を制御するデータ通信コントローラと、前記データ通信コントローラに接続可能なＨＵＢを備えた拡張装置によって接続された、前記個別機能装置が、前記中央情報表示装置の機能を拡張するためのアプリケーションソフトを格納する秘匿領域を持つメモリと、前記アプリケーションソフトを実行するＣＰＵとを備える個別機能装置を提供する。【００２４】
また、前記中央情報表示装置が前記中央情報表示装置とは別体に構成され前記中央情報装置の機能を拡張する個別機能装置を識別する機能を有する個別機能装置を提供する。【００２５】
また、前記中央情報表示装置が前記中央情報表示装置とは別体に構成された前記個別機能装置のアプリケーションソフトを格納するメモリの秘匿領域にある識別データと前記中央情報表示装置に格納された識別データとが一致する場合に前記個別機能装置を認証する機能を有する個別機能装置を提供する。
【発明の効果】
【００２６】
本発明によれば、中央情報表示装置を安価に製造することができるとともに、ユーザが選択的に中央情報表示装置の機能を拡張できるという効果がある。
【図面の簡単な説明】
【００２７】
【図１】本発明の車載表示装置の第１の実施形態における構成を示す概要図である。
【図２】中央情報表示装置１０のナビゲーション機能を拡張するための個別機能装置３０の例を示すブロック図である。
【図３】一体型ナビゲーション機能拡張用個別機能装置の構成を示すブロック図である。
【図４】中央情報表示装置１０のオーディオビジュアル機能を拡張する個別機能装置３０であるＡＶモジュール３０４の構成を示すブロック図である。
【図５】中央情報表示装置１０のテレビジョン受信機能を拡張する個別機能装置３０であるワンセグ機能拡張用個別機能装置の構成を示すブロック図である。
【図６】中央情報表示装置１０の動作を表すフローチャートである。
【図７】第２の実施形態の車載表示装置及び個別機能装置の概要を表す構成図である。
【図８】第３の実施形態の車載表示装置及び個別機能装置の概要を表す構成図である。
【図９】中央情報表示装置１１のナビゲーション機能を拡張するための個別機能装置３２の例を示すブロック図である。
【図１０】一体型のナビゲーション機能拡張用個別機能装置である一体型ナビゲーションモジュール３０８の構成を示すブロック図である。
【図１１】中央情報表示装置１１のオーディオビジュアル機能を拡張する個別機能装置３２であるＡＶモジュール３０９の構成を示すブロック図である。
【図１２】中央情報表示装置１１のテレビジョン受信機能を拡張する個別機能装置３２であるワンセグ機能拡張用個別機能装置の構成を示すブロック図である。
【図１３】フロントガラス付近に拡張装置２２を配置する例を示す図である。
【図１４】中央情報表示装置１１の上部に拡張装置２２を配置する例を示す図である。
【図１５】中央情報表示装置１１と拡張装置２２とを一体に構成する例を示す図である。
【図１６】第１の機器認証システムの構成を示す概要図である。
【図１７】第１の機器認証システムの動作を示すフローチャートである。
【図１８】第１の機器認証システムの変形例を示す図である。
【図１９】第２の機器認証システムの構成を示す概要図である。
【図２０】第２の機器認証システムの動作を示すフローチャートである。
【図２１】第２の機器認証システムの動作を示すフローチャートの続きである。
【図２２】第２の機器認証システムの変形例を示す図である。
【図２３】第３の機器認証システムの構成を示す概要図である。
【図２４】第３の機器認証システムの動作を示すフローチャートである。
【図２５】第３の機器認証システムの動作を示すフローチャートの続きである。
【図２６】第４の機器認証システムの動作を示すフローチャートである。
【図２７】第４の機器認証システムの動作を示すフローチャートの続きである。
【発明を実施するための最良の形態】
【００２８】
以下、本発明による車載表示装置の一実施の形態を、図面を用いて詳細に説明する。本発明の車載用表示装置は自動車やバスやオートバイなどの車両に設置される。本発明の車載用表示装置は予め自動車などのフロントパネルに組み込まれていてもよく、また、フロントパネルとは別体に構成されて後から自動車などに設置されてもよい。以下、詳細に説明する。
【第１の実施形態】
【００２９】
図１は、本発明の車載表示装置の第１の実施形態における構成を示す概要図である。図１に示すように、本実施形態の車載表示装置は、中央情報表示装置１０と、拡張装置２０と、個別機能装置３０とを備える。
【００３０】
中央情報表示装置１０は予め自動車などのフロントパネルに組み込まれていてもよく、また、フロントパネルとは別体に構成されて後から自動車などに設置されてもよい。中央情報表示装置１０は、ＬＣＤ（液晶ディスプレイ）１０１と、高性能ＣＰＵ１０２と、記憶装置であるＲＡＭ１０３及びＲＯＭ１０４と、データ通信バス、例えば、データ通信インターフェースであるＵＳＢ（ユニバーサルシリアルバス）を制御するデータ通信コントローラ、例えば、ＵＳＢホストコントローラ１０５と、著作権保護可能な秘匿メモリを持つメモリ、例えば、ＳＤメモリカードや組み込み型ＳＤメモリを制御するメモリインターフェースコントローラ、例えば、ＳＤホストコントローラ１０６と、を備える。
【００３１】
ＬＣＤ１０１は高性能ＣＰＵ１０２からのＲＧＢ信号を受け入れて映像を表示画面に表示する。また、ＬＣＤ１０１にはタッチパネルが設けられており、このタッチパネルからの入力は高性能ＣＰＵ１０２に入力する。
【００３２】
高性能ＣＰＵ１０２は、後述する個別機能装置３０の各種アプリケーションを実行できる性能を有する。ＲＡＭ１０３はＳＤＲＡＭ（シンクロナスＤＲＡＭ）を用いることができる。ＲＯＭ１０４はＦｌａｓｈ  ＲＯＭを用いることができる。ＵＳＢホストコントローラ１０５はＵＳＢ以外のデータ通信用のコントローラでもよい。
【００３３】
拡張装置２０は、ＨＵＢ、例えばＵＳＢ  ＨＵＢ２０１を備える。このＵＳＢ  ＨＵＢ２０１は中央情報表示装置１０のデータ通信コントローラ、例えばＵＳＢホストコントローラ１０５に接続されている。なお、拡張装置２０は中央情報表示装置１０と一体に構成されていても別体に構成されていてもよい。ＵＳＢ  ＨＵＢ２０１は複数のＨＵＢポートを備える。
【００３４】
個別機能装置３０は、中央情報表示装置１０及び拡張装置２０と別体に構成されている。個別機能装置３０は拡張装置２０に着脱可能に構成されている。個別機能装置３０と拡張装置２０とはＵＳＢなどのデータ通信インターフェースによって接続される。個別機能装置３０と拡張装置とを接続するジャックの形状は、通常のＵＳＢなどのデータ通信インターフェースのジャックの形状と異なっていてもよい。
【００３５】
個別機能装置３０は拡張装置２０に接続され、中央情報表示装置１０と協働して動作することにより中央情報表示装置１０の機能を拡張する。個別機能装置３０は、後述のようにＵＳＢデバイスコントローラのようなデータ通信インターフェースのデバイスコントローラを含んで構成されるが、この構成は個別機能装置３０が実現しようとする機能によって異なる。
【００３６】
以下、個別機能装置３０の具体例を説明する。個別機能装置３０は以下の具体例に限られるものではない。
【００３７】
図２は、中央情報表示装置１０の機能にナビゲーション機能を追加拡張するための個別機能装置３０の例を示すブロック図である。図２に示すように、ナビゲーション機能拡張用個別機能装置は、図２（ａ）に示すＧＰＳアンテナモジュール３０１と、図２（ｂ）に示すナビゲーションモジュール３０２とを備える。
【００３８】
ＧＰＳアンテナモジュール３０１は、信号を受信するアンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、ＧＰＳコントローラ３０１Ｂの動作を制御し、拡張装置２０のＵＳＢ  ＨＵＢ２０１に接続するＵＳＢデバイスコントローラ３０１Ａとを備える。
【００３９】
ナビゲーションモジュール３０２は、地図に関するデータであるマップデータを格納する記憶装置である秘匿領域を持つメモリ、例えばｅＳＤ（ｅｍｂｅｄｄｅｄ  Ｓｅｃｕｒｅ  Ｄｉｇｉｔａｌ  Ｍｅｍｏｒｙ：組み込み型ＳＤメモリ）３０２Ｂ１と、ナビゲーションを実行するソフトウエアであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０２Ｂ３とを備える。
【００４０】
ここで、秘匿領域を持つメモリ、例えばｅＳＤ（ｅｍｂｅｄｄｅｄ  Ｓｅｃｕｒｅ  Ｄｉｇｉｔａｌ  Ｍｅｍｏｒｙ：組み込み型ＳＤメモリ）について説明する。ｅＳＤは秘匿領域を有するＮＡＮＤ型フラッシュメモリである。このｅＳＤは、必要に応じて音楽データや地図データや有償のアプリケーションデータ等の著作権保護の必要な暗号化されたデータと、このデータの暗号キーとを格納することができる。必要に応じて、暗号化されていないデータを格納することもできる。
【００４１】
なお、図２（ｂ）には複数のｅＳＤが示されているが、ナビゲーションモジュール３０２は一つのｅＳＤだけを備えてこれにマップデータとナビエンジンソフトとユーザインターフェースソフトを格納するように構成することもできる。
【００４２】
ナビゲーションモジュール３０２は、さらにこれらのｅＳＤを制御し、拡張装置２０のＵＳＢ  ＨＵＢ２０１に接続するＵＳＢデバイスコントローラ３０２Ａを備える。
【００４３】
このナビゲーション機能拡張用個別機能装置は、ＧＰＳアンテナモジュール３０１と、ナビゲーションモジュール３０２とを別体に構成した。このため、各モジュールの大きさを小さくすることが可能となるという効果がある。
【００４４】
図３は一体型ナビゲーション機能拡張用個別機能装置の構成を示すブロック図である。図３に示すように、ＧＰＳアンテナモジュールを併せ持つナビゲーションモジュールである一体型ナビゲーション機能拡張用個別機能装置は、ｅＳＤ３０２Ｂ１と、ｅＳＤ３０２Ｂ２と、ユーザインターフェースソフトを格納するｅＳＤ３０３Ｂ３と、ＧＰＳコントローラ３０１Ｂと、高周波回路３０１Ｃとアンテナ３０１Ｄとを備える。
【００４５】
さらに、一体型ナビゲーション機能拡張用個別機能装置は、ｅＳＤ３０２Ｂ１と、ｅＳＤ３０２Ｂ２と、ｅＳＤ３０３Ｂ３と、ＧＰＳコントローラ３０１Ｂとに接続してこれらを制御し、拡張装置２０のＵＳＢ  ＨＵＢ２０１に接続するＵＳＢデバイスコントローラ３０２Ａを備える。
【００４６】
この一体型ナビゲーション機能拡張用個別機能装置は、ＧＰＳアンテナモジュールとナビゲーションモジュールとを一体に構成した。このため、設置操作、撤去操作が簡便であるという効果がある。
【００４７】
図４は、中央情報表示装置１０のオーディオビジュアル機能を拡張する個別機能装置３０であるＡＶモジュール３０４の構成を示すブロック図である。図４に示すように、ＡＶモジュール３０４は、音楽やビデオなどの楽曲データを格納するｅＳＤ３０４Ｂ１と、楽曲データをデコードするソフトウエアであるデコードエンジンソフトウエアを格納するｅＳＤ３０４Ｂ２と、ユーザとＡＶモジュール３０４とのインターフェースとして機能するユーザインターフェースソフトを格納する記憶装置であるｅＳＤ３０４Ｂ３と、これらのｅＳＤを制御し、拡張装置２０のＵＳＢ  ＨＵＢ２０１に接続するＵＳＢデバイスコントローラ３０２Ａを備える。
【００４８】
なお、図４には複数の秘匿領域を持つメモリ、例えばｅＳＤが示されているが、ＡＶモジュール３０４は一つのｅＳＤだけを備えてこれに楽曲データとデコードエンジンソフトとユーザインターフェースソフトを格納するように構成することもできる。
【００４９】
このＡＶモジュール３０４は、パソコンやオーディオ機器などの上位機種に接続し、これらの上位機種から楽曲データやデコードエンジンソフトを格納するように構成することもできるため、任意の楽曲を車内で楽しむことができるという効果がある。
【００５０】
図５は、中央情報表示装置１０のテレビジョン受信機能を拡張する個別機能装置３０であるワンセグ機能拡張用個別機能装置の構成を示すブロック図である。図５に示すように、ワンセグ機能拡張用個別機能装置は、図５（ａ）に示すワンセグアンテナモジュール３０５と、図５（ｂ）に示すワンセグモジュール３０６とを備える。
【００５１】
ワンセグアンテナモジュール３０５は、テレビジョン信号を受信するアンテナ３０５Ｄと、受信した信号を処理する高周波回路３０５Ｃと、処理した高周波信号から任意のチャンネルのテレビジョン信号を選択するワンセグチューナー３０５Ｂと、このワンセグチューナー３０５Ｂを制御し、拡張装置２０のＵＳＢ  ＨＵＢ２０１に接続するＵＳＢデバイスコントローラ３０１Ａとを備える。
【００５２】
ワンセグモジュール３０６は、ワンセグチューナー３０５Ｂが選択したチャンネルのテレビジョン信号からＬＣＤ１０１に表示させる画像データとスピーカから再生する音声データと生成する機能を実行するソフトウエアであるワンセグアプリケーションソフトを格納する記憶装置であるｅＳＤ３０６Ｂ１と、ユーザとワンセグ機能拡張用個別機能装置とのインターフェースとして機能するユーザインターフェースソフトを格納する記憶装置であるｅＳＤ３０６Ｂ２と、これらのｅＳＤを制御し、拡張装置２０のＵＳＢ  ＨＵＢ２０１に接続するＵＳＢデバイスコントローラ３０２Ａを備える。
【００５３】
なお、図５（ｂ）には複数の秘匿領域を持つメモリ、例えばｅＳＤが示されているが、ワンセグモジュール３０６は一つのｅＳＤだけを備えてこれにワンセグアプリケーションソフトとユーザインターフェースソフトを格納するように構成することもできる。
【００５４】
このワンセグ機能拡張用個別機能装置は、車内でテレビジョン映像を楽しむことができるという効果がある。
【００５５】
次に個別機能装置の識別方法について説明する。図６に示すように、ステップＳ１０１において、拡張装置２０はＵＳＢポートに新たに接続があったかを判定する。拡張装置２０は新たに接続を認識した場合はステップＳ１０２に進み、新たな接続を認識しない場合はスタートに戻る。
【００５６】
ステップＳ１０２において、拡張装置２０は個別機能装置３０の秘匿領域を持つメモリ、例えばｅＳＤからＭＫＢ（メデイアキーブロック）領域のＭＫ（メデイアキー）を読み出す。
【００５７】
ステップＳ１０３において、ＭＫが予め定めた値と一致するかを判定する。一致しない場合は、個別機能装置３０は識別されない。一致する場合はステップＳ１０４に進む。
【００５８】
ステップＳ１０４において、拡張装置２０は個別機能装置３０のｅＳＤからアプリケーションソフトウエアを読みだし、ＳＤ規格に則ったアプリケーションソフトを複合し実行処理を行なう。  以下、各個別機能装置３０毎の動作について説明する。ナビゲーション機能拡張用個別機能装置が拡張装置２０に装着された場合、中央情報表示装置１０は上述した図６のフローに従い、個別機能装置の識別と、アプリケーションソフトであるナビエンジンソフトの読みだしと実行を行う。
【００５９】
中央情報表示装置１０は、ＧＰＳアンテナモジュール３０１から位置情報を読み込み、ｅＳＤ３０２Ｂ１からマップデータを読み込み、メモリに格納する。中央情報表示装置１０はナビエンジンソフトを実行し、ナビエンジンソフトの指示に従ってメモリに格納した位置情報とマップデータを読みだしてナビゲーション機能を実現する。
【００６０】
一体型ナビゲーションモジュール３０３もこの動作に従って動作する。
【００６１】
ＡＶモジュール３０４が拡張装置２０に装着された場合、中央情報表示装置１０は上述した図６のフローに従い、個別機能装置の識別と、アプリケーションソフトであるデコードエンジンソフトの読みだしと実行を行う。
【００６２】
中央情報表示装置１０はデコードエンジンソフトの指示に従い、秘匿領域を持つメモリ、例えばｅＳＤ３０４Ｂ１から楽曲データを読みだし、メモリに格納する。中央情報表示装置１０はデコードエンジンソフトの指示に従ってメモリに格納した楽曲データを読みだしてデコードし、ＬＣＤ１０１に映像を表示し、スピーカから音声を再生してＡＶ機能を実現する。
【００６３】
ワンセグ機能拡張用個別機能装置が拡張装置２０に装着された場合、中央情報表示装置１０は上述した図６のフローに従い、個別機能装置の識別と、アプリケーションソフトであるワンセグアプリケーションソフトの読みだしと実行を行う。
【００６４】
中央情報表示装置１０はワンセグアプリケーションソフトの指示に従い、ワンセグモジュール３０６からの信号から映像信号と音声信号を生成し、ＬＣＤ１０１に映像を表示し、スピーカから音声を再生してテレビジョン受信機能を実現する。
【００６５】
以上述べたように、本実施形態の車載表示装置及び個別機能装置は、中央情報表示装置１０と、拡張装置２０と、個別機能装置３０とを備える。このため、中央情報表示装置１０を拡張装置２０と別体に構成することにより中央情報表示装置１０の価格を低く抑えることが可能となり、ユーザは必要な機能を選択して拡張することが可能となるという効果がある。
【第２の実施形態】
【００６６】
続いて、本発明の車載表示装置の第２の実施形態について説明する。本実施形態においては、個別機能装置３０の構成及び動作は第１の実施形態における個別機能装置３０の構成及び動作と同様であるため、説明を省略する。
【００６７】
図７は、本実施形態の車載表示装置の概要を表す構成図である。図７に示すように、本実施形態の車載表示装置は中央情報表示装置１１と、拡張装置２１と、個別機能装置３０とを備える。
【００６８】
中央情報表示装置１１は予め自動車などのフロントパネルに組み込まれていてもよく、また、フロントパネルとは別体に構成されて後から自動車などに設置されてもよい。中央情報表示装置１１は、ＬＣＤ１０１を備える。このＬＣＤ１０１は拡張装置２１の高性能ＣＰＵ１０２からのＲＧＢ信号を入力して表示画面に映像を表示する。ＬＣＤ１０１にはタッチパネルが設けられており、このタッチパネルからの入力は拡張装置２１の高性能ＣＰＵ１０２に入力する。
【００６９】
拡張装置２１は、高性能ＣＰＵ１０２と、記憶装置であるＲＡＭ１０３及びＲＯＭ１０４と、データ通信インターフェースであるＵＳＢ（ユニバーサルシリアルバス）を制御するデータ通信コントローラ、例えばＵＳＢホストコントローラ１０５と、著作権保護可能なＳＤメモリカードを制御するＳＤホストコントローラ１０６と、ＨＵＢ，例えばＵＳＢ  ＨＵＢ２０１と、を備える。
【００７０】
高性能ＣＰＵ１０２は、個別機能装置３０の各種アプリケーションを実行できる性能を有する。ＲＡＭ１０３はＳＤＲＡＭを用いることができる。ＲＯＭ１０４はＦｌａｓｈ  ＲＯＭを用いることができる。ＵＳＢホストコントローラ１０５はＵＳＢ以外のデータ通信インターフェースのコントローラでもよい。ＵＳＢ  ＨＵＢ２０１はＵＳＢホストコントローラ１０５に接続されている。ＵＳＢ  ＨＵＢ２０１は複数のＨＵＢポートを備える。なお、拡張装置２１は中央情報表示装置１１と一体に構成されていても別体に構成されていてもよい。
【００７１】
本実施形態における拡張装置２１の動作は、第１の実施形態の中央情報表示装置１０の動作と同様であるため、図６を用いて説明する。
【００７２】
図６に示すように、ステップＳ１０１において、拡張装置２１はＵＳＢポートに新たに接続があったかを判定する。拡張装置２１は新たに接続を認識した場合はステップＳ１０２に進み、新たな接続を認識しない場合はスタートに戻る。
【００７３】
ステップＳ１０２において、拡張装置２１は個別機能装置３０のｅＳＤからＭＫＢ（メデイアキーブロック）領域のＭＫ（メデイアキー）を読み出す。
【００７４】
ステップＳ１０３において、ＭＫが予め定めた値と一致するかを判定する。一致しない場合は、個別機能装置３０は識別されない。一致する場合はステップＳ１０４に進む。
【００７５】
ステップＳ１０４において、拡張装置２１は個別機能装置３０のｅＳＤからアプリケーションソフトウエアを読みだし、ＳＤ規格に則ったアプリケーションソフトを複合し実行処理を行なう。
【００７６】
以下、各個別機能装置３０毎の動作について説明する。ナビゲーション機能拡張用個別機能装置が拡張装置２１に装着された場合、拡張装置２１は上述した図６のフローに従い、個別機能装置の識別と、アプリケーションソフトであるナビエンジンソフトの読みだしと実行を行う。
【００７７】
拡張装置２１は、ＧＰＳアンテナモジュール３０１から位置情報を読み込み、ｅＳＤ３０２Ｂ１からマップデータを読み込み、メモリに格納する。拡張装置２１はナビエンジンソフトを実行し、ナビエンジンソフトの指示に従ってメモリに格納した位置情報とマップデータを読みだし、映像を中央情報表示装置１１のＬＣＤ１０１に表示してナビゲーション機能を実現する。
【００７８】
一体型ナビゲーションモジュール３０３もこの動作に従って動作する。
【００７９】
ＡＶモジュール３０４が拡張装置２１に装着された場合、拡張装置２１は上述した図６のフローに従い、個別機能装置の識別と、アプリケーションソフトであるデコードエンジンソフトの読みだしと実行を行う。
【００８０】
拡張装置２１はデコードエンジンソフトの指示に従い、ｅＳＤ３０４Ｂ１から楽曲データを読みだし、メモリに格納する。拡張装置２１はデコードエンジンソフトの指示に従ってメモリに格納した楽曲データを読みだしてデコードし、中央情報表示装置１１のＬＣＤ１０１に映像を表示し、スピーカから音声を再生してＡＶ機能を実現する。
【００８１】
ワンセグ機能拡張用個別機能装置が拡張装置２１に装着された場合、拡張装置２１は上述した図６のフローに従い、個別機能装置の識別と、アプリケーションソフトであるワンセグアプリケーションソフトの読みだしと実行を行う。
【００８２】
拡張装置２１はワンセグアプリケーションソフトの指示に従い、ワンセグモジュール３０６からの信号から映像信号と音声信号を生成し、中央情報表示装置１１のＬＣＤ１０１に映像を表示し、スピーカから音声を再生してテレビジョン受信機能を実現する。
【００８３】
以上述べたように、本実施形態の車載用表示装置は、中央情報表示装置１１がＬＣＤ１０１を備え、拡張装置２１が高性能ＣＰＵ１０２などの主要部品を備える。このため、中央情報表示装置１１の製造コストが低く抑えられ、拡張機能を全く望まないユーザの経済的負担を最小限に留めることができるという効果がある。
【第３の実施形態】
【００８４】
続いて、本発明の車載表示装置の第３の実施形態について説明する。本実施形態においては、中央情報表示装置１１の構成及び動作は第２の実施形態における中央情報表示装置１１の構成及び動作と同様であるため、説明を省略する。
【００８５】
図８は、本実施形態の車載表示装置の概要を表す構成図である。図８に示すように、本実施形態の車載表示装置は中央情報表示装置１１と、拡張装置２２と、個別機能装置３２とを備える。
【００８６】
拡張装置２２は、低性能ＣＰＵ７０２と、記憶装置であるＲＡＭ１０３及びＲＯＭ１０４と、データ通信インターフェースであるＵＳＢを制御するデータ通信コントローラ、例えばＵＳＢホストコントローラ１０５と、ＨＵＢ、例えばＵＳＢ  ＨＵＢ２０１と、を備える。
【００８７】
低性能ＣＰＵ７０２は、個別機能装置３２が出力した信号を中央情報表示装置１１に出力し、中央情報表示装置１１から入力した信号を個別機能装置３２に出力し、拡張装置２２が有する各装置を制御する性能を有する。
【００８８】
ＲＡＭ１０３はＳＤＲＡＭを用いることができる。ＲＯＭ１０４はＦｌａｓｈ  ＲＯＭを用いることができる。ＵＳＢホストコントローラ１０５はＵＳＢ以外のデータ通信インターフェースのコントローラでもよい。ＵＳＢ  ＨＵＢ２０１はＵＳＢホストコントローラ１０５に接続されている。ＵＳＢ  ＨＵＢ２０１は複数のＨＵＢポートを備える。なお、拡張装置２２は中央情報表示装置１１と一体に構成されていても別体に構成されていてもよい。
【００８９】
図９は、中央情報表示装置１１のナビゲーション機能を拡張するための個別機能装置３２の例を示すブロック図である。図９に示すように、ナビゲーション機能拡張用個別機能装置は、ＧＰＳアンテナモジュール３０１と、ナビゲーションモジュール３０７とを備える。
【００９０】
ＧＰＳアンテナモジュール３０１は、信号を受信するアンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、ＧＰＳコントローラ３０１Ｂの動作を制御し、後述するナビゲーションモジュール３０７のデータ通信コントローラ、例えばＵＳＢホストコントローラ３０７Ｂに接続するＵＳＢデバイスコントローラ３０１Ａとを備える。
【００９１】
ナビゲーションモジュール３０７は、アプリケーションソフトを実行するのに十分な性能を有する高性能ＣＰＵ３０７Ａと、この高性能ＣＰＵ３０７Ａに接続し、著作権保護可能なＳＤメモリカードを制御するＳＤホストコントローラ１０６と、データ通信インターフェースであるＵＳＢを制御するデータ通信コントローラ、例えばＵＳＢホストコントローラ３０７Ｂと、を備える。
【００９２】
さらに、ナビゲーションモジュール３０７は、地図に関するデータであるマップデータを格納する記憶装置であるｅＳＤ３０２Ｂ１と、ナビゲーションを実行するアプリケーションソフトであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０５Ｂ３と、ＯＳ（オペレーションシステム）を格納する記憶装置であるＲＯＭ３０２Ｂ４と、記憶装置であるＲＡＭ３０２Ｂ５と、を備える。
【００９３】
なお、図９には複数の秘匿領域を持つメモリ、例えばｅＳＤが示されているが、ナビゲーションモジュール３０７は一つのｅＳＤだけを備えてこれにマップデータとナビエンジンソフトとユーザインターフェースソフトを格納するように構成することもできる。
【００９４】
ナビゲーションモジュール３０７は、さらにナビゲーションモジュール３０７が有するこれらの各装置を制御し、拡張装置２２のＵＳＢ  ＨＵＢ２０１に接続するＵＳＢデバイスコントローラ３０２Ａを備える。
【００９５】
このナビゲーション機能拡張用個別機能装置は、ＧＰＳアンテナモジュール３０１と、ナビゲーションモジュール３０７とを別体に構成した。このため、各モジュールの大きさを小さくすることが可能となるという効果がある。
【００９６】
図１０は一体型のナビゲーション機能拡張用個別機能装置である一体型ナビゲーションモジュール３０８の構成を示すブロック図である。図１０に示すように、ＧＰＳアンテナモジュールを併せ持つナビゲーションモジュールである一体型ナビゲーションモジュール３０８は、アプリケーションソフトを実行するのに十分な性能を有する高性能ＣＰＵ３０７Ａと、この高性能ＣＰＵ３０７Ａに接続し、著作権保護可能なＳＤメモリカードを制御するＳＤホストコントローラ１０６と、を備える。
【００９７】
さらに、一体型ナビゲーションモジュール３０８は、アンテナ３０１Ｄと、アンテナ３０１Ｄに接続し、受信した信号を処理する高周波回路３０１Ｃと、高周波回路３０１Ｃが処理した信号から位置情報を生成するＧＰＳコントローラ３０１Ｂと、を備える。
【００９８】
さらに、一体型ナビゲーションモジュール３０８は、地図に関するデータであるマップデータを格納する記憶装置であるｅＳＤ３０２Ｂ１と、ナビゲーションを実行するアプリケーションソフトであるナビエンジンソフトを格納する記憶装置であるｅＳＤ３０２Ｂ２と、ユーザとナビゲーション機能拡張用個別機能装置とのインターフェースとして機能するユーザインターフェースソフトを格納する記憶装置であるｅＳＤ３０６Ｂ３と、ＯＳを格納する記憶装置であるＲＯＭ３０２Ｂ４と、記憶装置であるＲＡＭ３０２Ｂ５と、を備える。
【００９９】
なお、図１０には複数の秘匿領域を持つメモリ、例えばｅＳＤが示されているが、一体型ナビゲーションモジュール３０８は一つのｅＳＤだけを備えてこれにマップデータとナビエンジンソフトとユーザインターフェースソフトを格納するように構成することもできる。
【０１００】
一体型ナビゲーションモジュール３０８は、さらにナビゲーションモジュール３０７が有するこれらの各装置を制御し、拡張装置２２のＵＳＢ  ＨＵＢ２０１に接続するＵＳＢデバイスコントローラ３０２Ａを備える。
【０１０１】
図１１は中央情報表示装置１１のオーディオビジュアル機能を拡張する個別機能装置３０であるＡＶモジュール３０９の構成を示すブロック図である。図１１に示すように、ＡＶモジュール３０９は、アプリケーションソフトを実行するのに十分な性能を有する高性能ＣＰＵ３０７Ａと、この高性能ＣＰＵ３０７Ａに接続し、著作権保護可能なＳＤメモリカードを制御するＳＤホストコントローラ１０６と、を備える。
【０１０２】
さらに、ＡＶモジュール３０９は、音楽やビデオなどの楽曲データを格納する秘匿領域を持つメモリ、例えばｅＳＤ３０４Ｂ１と、楽曲データをデコードするソフトウエアであるデコードエンジンソフトウエアを格納する秘匿領域を持つメモリ、例えばｅＳＤ３０４Ｂ２と、ユーザとＡＶモジュール３０９とのインターフェースとして機能するユーザインターフェースソフトを格納する記憶装置である秘匿領域を持つメモリ、例えばｅＳＤ３０９Ｂ３と、ＯＳを格納する記憶装置であるＲＯＭ３０２Ｂ４と、記憶装置であるＲＡＭ３０２Ｂ５と、を備える。
【０１０３】
なお、図１１には複数の秘匿領域を持つメモリ、例えばｅＳＤが示されているが、ＡＶモジュール３０９は一つの秘匿領域を持つメモリ、例えばｅＳＤだけを備えてこれに楽曲データとデコードエンジンソフトとユーザインターフェースソフトを格納するように構成することもできる。
【０１０４】
ＡＶモジュール３０９は、さらにＡＶモジュール３０９が有するこれらの各装置を制御し、拡張装置２２のＵＳＢ  ＨＵＢ２０１に接続するＵＳＢデバイスコントローラ３０２Ａを備える。
【０１０５】
このＡＶモジュール３０９は、パソコンやオーディオ機器などの上位機種に接続し、これらの上位機種から楽曲データやデコードエンジンソフトを格納するように構成することもできるため、任意の楽曲を車内で楽しむことができるという効果がある。
【０１０６】
図１２は、中央情報表示装置１１のテレビジョン受信機能を拡張する個別機能装置３２であるワンセグ機能拡張用個別機能装置の構成を示すブロック図である。図１２に示すように、ワンセグ機能拡張用個別機能装置は、ワンセグアンテナモジュール３０５と、ワンセグモジュール３１０とを備える。
【０１０７】
ワンセグアンテナモジュール３０５は、テレビジョン信号を受信するアンテナ３０５Ｄと、受信した信号を処理する高周波回路３０５Ｃと、処理した高周波信号から任意のチャンネルのテレビジョン信号を選択するワンセグチューナー３０５Ｂと、このワンセグチューナー３０５Ｂを制御し、後述するワンセグモジュール３１０のＵＳＢホストコントローラ３０７Ｂに接続するＵＳＢデバイスコントローラ３０１Ａとを備える。
【０１０８】
ワンセグモジュール３１０は、アプリケーションソフトを実行するのに十分な性能を有する高性能ＣＰＵ３０７Ａと、この高性能ＣＰＵ３０７Ａに接続し、著作権保護可能なＳＤメモリカードを制御するＳＤホストコントローラ１０６と、データ通信インターフェースであるＵＳＢを制御するデータ通信コントローラ、例えばＵＳＢホストコントローラ３０７Ｂと、を備える。
【０１０９】
ワンセグモジュール３１０は、ワンセグチューナー３０５Ｂが選択したチャンネルのテレビジョン信号からＬＣＤ１０１に表示させる画像データとスピーカから再生する音声データと生成する機能を実行するソフトウエアであるワンセグアプリケーションソフトを格納する記憶装置である秘匿領域を持つメモリ、例えばｅＳＤ３０６Ｂ１と、ユーザとワンセグ機能拡張用個別機能装置とのインターフェースとして機能するユーザインターフェースソフトを格納する記憶装置であるｅＳＤ３１０Ｂ２と、ＯＳを格納する記憶装置であるＲＯＭ３０２Ｂ４と、記憶装置であるＲＡＭ３０２Ｂ５と、を備える。
【０１１０】
なお、図１２には複数の秘匿領域を持つメモリ、例えばｅＳＤが示されているが、ワンセグモジュール３１０は一つのｅＳＤだけを備えてこれにワンセグアプリケーションソフトとユーザインターフェースソフトを格納するように構成することもできる。
【０１１１】
ワンセグモジュール３１０は、さらにワンセグモジュール３１０が有するこれらの各装置を制御し、拡張装置２２のＵＳＢ  ＨＵＢ２０１に接続するＵＳＢデバイスコントローラ３０２Ａを備える。
【０１１２】
このワンセグ機能拡張用個別機能装置は、車内でテレビジョン映像を楽しむことができるという効果がある。
【０１１３】
本実施形態における拡張装置２２の動作は、第１の実施形態の中央情報表示装置１０の動作と同様であるため、図６を用いて説明する。
【０１１４】
図６に示すように、ステップＳ１０１において、拡張装置２２はＵＳＢポートに新たに接続があったかを判定する。拡張装置２２は新たに接続を認識した場合はステップＳ１０２に進み、新たな接続を認識しない場合はスタートに戻る。
【０１１５】
ステップＳ１０２において、拡張装置２２は個別機能装置３２のｅＳＤからＭＫＢ（メデイアキーブロック）領域のＭＫ（メデイアキー）を読み出す。
【０１１６】
ステップＳ１０３において、ＭＫが予め定めた値と一致するかを判定する。一致しない場合は、個別機能装置３２は識別されない。一致する場合はステップＳ１０４に進む。
【０１１７】
ステップＳ１０４において、拡張装置２２は個別機能装置３２のｅＳＤからアプリケーションソフトウエアを読みだし、ＳＤ規格に則ったアプリケーションソフトを複合し実行処理を行なう。
【０１１８】
以下、各個別機能装置３２毎の動作について説明する。ナビゲーション機能拡張用個別機能装置が拡張装置２２に装着された場合、ナビゲーションモジュール３０７はＲＯＭ３０２Ｂ４からＯＳを読みだしてＲＡＭ３０２Ｂ５に展開する。また、ナビゲーションモジュール３０７は秘匿領域を持つメモリ、例えばｅＳＤ３０２Ｂ２からナビエンジンソフトを読み出してＲＡＭ３０２Ｂ５に展開する。
【０１１９】
拡張装置２２は上述した図６のフローに従い、個別機能装置の識別と、アプリケーションソフトであるナビエンジンソフトの読みだしと実行を行う。ナビゲーションモジュール３０７は高性能ＣＰＵ３０７Ａによりナビエンジンソフトを実行する。
【０１２０】
ナビゲーションモジュール３０７は、ＧＰＳアンテナモジュール３０１から位置情報を読み込み、ｅＳＤ３０２Ｂ１からマップデータを読み込み、メモリに格納する。ナビゲーションモジュール３０７はナビエンジンソフトを実行し、ナビエンジンソフトの指示に従ってメモリに格納した位置情報とマップデータを読みだし、映像を中央情報表示装置１１のＬＣＤ１０１に表示してナビゲーション機能を実現する。
【０１２１】
一体型ナビゲーションモジュール３０８もこの動作に従って動作する。
【０１２２】
ＡＶモジュール３０９が拡張装置２２に装着された場合、ＡＶモジュール３０９はＲＯＭ３０２Ｂ４からＯＳを読みだしてＲＡＭ３０２Ｂ５に展開する。また、ＡＶモジュール３０９はｅＳＤ３０４Ｂ２からデコードエンジンソフトを読み出してＲＡＭ３０２Ｂ５に展開する。
【０１２３】
拡張装置２２は上述した図６のフローに従い、個別機能装置の識別と、アプリケーションソフトであるデコードエンジンソフトを読みだしと実行を行う。ＡＶモジュール３０９は高性能ＣＰＵ３０７Ａによりデコードエンジンソフトを実行する。
【０１２４】
ＡＶモジュール３０９はデコードエンジンソフトの指示に従い、ｅＳＤ３０４Ｂ１から楽曲データを読みだし、メモリに格納する。ＡＶモジュール３０９はデコードエンジンソフトの指示に従ってメモリに格納した楽曲データを読みだしてデコードし、中央情報表示装置１１のＬＣＤ１０１に映像を表示し、スピーカから音声を再生してＡＶ機能を実現する。
【０１２５】
ワンセグ機能拡張用個別機能装置が拡張装置２２に装着された場合、ワンセグモジュール３１０はＲＯＭ３０２Ｂ４からＯＳを読みだしてＲＡＭ３０２Ｂ５に展開する。また、ワンセグモジュール３１０はｅＳＤ３０６Ｂ１からワンセグアプリケーションソフトを読み出してＲＡＭ３０２Ｂ５に展開する。
【０１２６】
拡張装置２２は上述した図６のフローに従い、個別機能装置の識別と、アプリケーションソフトであるワンセグアプリケーションソフトの読みだしと実行を行う。ワンセグモジュール３１０は高性能ＣＰＵ３０７Ａによりワンセグアプリケーションソフトを実行する。
【０１２７】
ワンセグモジュール３１０はワンセグアプリケーションソフトの指示に従い、ワンセグモジュール３０５からの信号から映像信号と音声信号を生成し、中央情報表示装置１１のＬＣＤ１０１に映像を表示し、スピーカから音声を再生してテレビジョン受信機能を実現する。
【０１２８】
次に、本実施形態の車載表示装置及び個別機能装置の自動車における設置例について述べる。図１３は、フロントガラス付近に拡張装置２２を配置する例を示す図である。図１３に示すように、中央情報表示装置１１はフロントパネル１００の前面に配置される。
【０１２９】
拡張装置２２はフロントパネルの上面、すなわちフロントパネル１００のフロントガラスに対向する面に設置される。
【０１３０】
このように配置することにより、ＧＰＳアンテナモジュール３０１やワンセグアンテナモジュール３０５などの電波を受信する個別機能装置３２がより電波を受信しやすくなるという効果がある。
【０１３１】
図１４は、中央情報表示装置１１の上部に拡張装置２２を配置する例を示す図である。図１４に示すように、中央情報表示装置１１はフロントパネル１００の前面に配置される。
【０１３２】
拡張装置２２は、中央情報表示装置１１の上部、すなわちＬＣＤ１０１の上方であって、コンソール２００に収まる位置に配置される。
【０１３３】
このように配置されることにより、個別機能装置３２が電波を受信しやすく、しかもコンソールの組み立てが容易になるという効果がある。
【０１３４】
図１５は、中央情報表示装置１１と拡張装置２２とを一体に構成する例を示す図である。図１５に示すように、中央情報表示装置１１はフロントパネル１００の前面に配置される。
【０１３５】
拡張装置２２は中央情報表示装置１１と一体に構成される。拡張装置２２は中央情報表示装置１１のＬＣＤ１０１と同じ面、望ましくはＬＣＤ１０１の上方に配置される。
【０１３６】
このように配置することによりユーザが個別機能装置３２を容易に抜き差しできるという効果がある。
【０１３７】
次に、本実施形態において、承認済みの個別機能装置のみを動作させるための機器認証システムについて詳細に述べる。
【０１３８】
車載用表示装置に接続可能な個別機能装置は不正に製造されることがある。例えば、コンテンツを不正にコピーした機器や、車載用表示装置を破壊するような動作をする機器が市場に出回ることがある。
【０１３９】
そこで、車載用表示装置に接続すべき機器と、接続すべきでない機器とを判定する、いわゆる機器認証システムが必要となる。
【０１４０】
従来は、機器を認証するための特別の集積回路を作り、これを用いて相互認証することが行われていたが、特別な集積回路を作成するため製造コストの上昇を招くという問題点があった。
【０１４１】
図１６は、第１の機器認証システムの構成を示す概要図である。図１６に示すように、機器認証システムは接続する機器を認証する側の機器である認証機器５１０と、認証される側の機器である認証対象機器５２０とを備える。
【０１４２】
ここで、接続する機器を認証する側の機器である認証機器は中央情報表示装置と一体に構成される拡張装置よりなる車載表示装置であってもよいし、中央情報表示装置または拡張装置によって構成されてもよい。また、認証される側の機器である認証対象機器は個別機能装置によって構成される。
【０１４３】
以下、中央情報表示装置と一体に構成される拡張装置よりなる車載表示装置、または中央情報表示装置を認証機器とし、個別機能装置を認証対象機器として説明する。
【０１４４】
認証機器５１０は、記憶装置である認証機器記憶装置５１３と、暗号化されたデータをあらかじめ定められたデータである認証鍵によって復号する機能を備える認証機器コントローラ５１２と、演算処理を行う認証機器ＣＰＵ５１１と、を備える。
【０１４５】
認証機器コントローラ５１２は、接続された認証対象機器５２０の記憶装置である認証対象機器記憶装置５２３から格納されているデータを読みだす機能を有する。
【０１４６】
認証機器記憶装置５１３は、認証機器ＣＰＵ５１１及び認証機器コントローラ５１２が動作するために必要なメモリ領域を提供するとともに、復号試験用のデータである暗号化符帳と、暗号化符帳を正規の認証鍵によって復号したときに得られるデータである正解符帳と、あらかじめ定められた暗号化のためのデータである製造元認証鍵と、を格納する。ここで、暗号化符帳と正解符帳を合わせてデータ符帳とし、このデータは画像データ、音声データ、単なるバイナリ列のデータでもかまわない。
【０１４７】
認証対象機器５２０は、認証対象機器記憶装置５２３と、演算装置である認証対象機器ＣＰＵ５２１と、を備える。
【０１４８】
認証対象機器記憶装置５２３は、認証対象機器ＣＰＵ５２１が動作するために必要なメモリ領域を提供する。認証対象機器記憶装置５２３は、アクセス制限の設けられた領域である保護領域５２３Ａに、認証対象機器記憶装置５２３に固有のＩＤである媒体ＩＤ５２３Ｉと、この媒体ＩＤ５２３Ｉと製造元認証鍵とによって暗号化された認証鍵である暗号化認証鍵５２３Ｋと、を格納する。
【０１４９】
図１７は、第１の機器認証システムの動作を示すフローチャートである。図１７に示すように、ステップＳ２０１において、認証機器５１０は認証機器コントローラ５１２により認証対象機器記憶装置５２３に格納されている暗号化認証鍵５２３Ｋを読みだす。すなわち、認証機器コントローラ５１２から読みだしコマンドが認証対象機器５２０に送信される。
【０１５０】
ステップＳ２０２において、認証対象機器５２０は暗号化認証鍵５２３Ｋを認証機器５１０に送信する。この際、媒体ＩＤ５２３Ｉも同時に認証機器５１０に送信される。
【０１５１】
ステップＳ２０３において、認証機器５１０は認証機器コントローラ５１２により暗号化認証鍵５２３Ｋを、製造元認証鍵と媒体ＩＤ５２３Ｉとによって復号し、認証鍵を得る。
【０１５２】
ここで、媒体ＩＤ５２３Ｉは媒体に固有であり、しかもアクセス制限が設けられているため、認証対象機器５２０を丸ごと複製しても、あるいは認証対象機器記憶装置５２３を丸ごと複製しても、複製できない。よって、不正に複製された暗号化認証鍵５２３Ｋは正しく復号されない。
【０１５３】
ステップＳ２０４において、認証機器５１０は認証機器ＣＰＵ５１１により、認証鍵を用いて認証機器記憶装置５１３に格納されている暗号化符帳を復号化し、復号化符帳を得る。
【０１５４】
ステップＳ２０５において、認証機器５１０は認証機器記憶装置５１３から正解符帳を読みだす。
【０１５５】
ステップＳ２０６において、認証機器５１０は復号化符帳と正解符帳とが一致するかを判定する。認証機器５１０は、復号化符帳と正解符帳とが一致しない場合、認証は失敗したと判定してステップＳ２０９に進み、復号化符帳と正解符帳とが一致する場合、認証は成功したと判定してステップＳ２０７に進む。
【０１５６】
ステップＳ２０７において、認証機器５１０は認証機器ＣＰＵ５１１から認証対象機器ＣＰＵ５２１に各種の命令が送信され、また、ステップＳ２０８において認証対象機器５２０は認証機器５１０からの命令を受信し、以降認証機器５１０と認証対象機器５２０とは協働して動作する。
【０１５７】
ステップＳ２０９において、認証機器５１０は認証機器ＣＰＵ５１１により認証対象機器ＣＰＵ５２１からのアクセスを受け付けない。
【０１５８】
図１８は、第１の機器認証システムの変形例を示す図である。図１８に示すように、認証機器５１０はさらに認証機器ＣＰＵ保護手段５１４を備えるように構成することができる。
【０１５９】
認証機器ＣＰＵ保護手段５１４は、ハードウエアによって構成されてもソフトウエアによって実現されても、ハードウエアとソフトウエアによって構成されてもよい。認証機器ＣＰＵ保護手段５１４は、例えば、認証機器ＣＰＵ５１１において動作するプログラムを実行直前まで暗号化したまま扱い、実行時に必要最低限な部分を安全に復号して処理を進めるような仕組みが挙げられる。
【０１６０】
認証機器ＣＰＵ保護手段５１４は、暗号化認証鍵５２３Ｋの復号化と、復号化符帳と正解符帳との検証処理や関連する情報を安全に保護するために設けられる。
【０１６１】
以上述べたように、本実施形態の機器認証システムは、認証機器５１０が、認証機器ＣＰＵ５１１と、認証機器コントローラ５１２と、認証機器記憶装置５１３と、を備え、認証機器記憶装置５１３は暗号化符帳と正解符帳と製造元認証鍵とを格納し、認証対象機器５２０が、認証対象機器ＣＰＵ５２１と、認証対象機器記憶装置５２３と、を備え、認証対象機器記憶装置５２３は保護領域５２３Ａに媒体ＩＤ５２３Ｉと暗号化認証鍵５２３Ｋとを格納する。認証機器５１０は、認証機器コントローラ５１２により暗号化認証鍵５２３Ｋを製造元認証鍵と媒体ＩＤ５２３Ｉとによって復号して認証鍵を得、認証鍵を用いて暗号化符帳を復号して正解符帳と比較することにより認証対象機器の機器認証を行う。
【０１６２】
従って、新たなハードウエアを作成する必要がなく、認証機器を適確に認証することが可能な、安価な機器認証システムを提供することが可能となるという効果がある。
【０１６３】
図１９は、第２の機器認証システムの構成を示す概要図である。図１９に示すように、機器認証システムは接続する機器を認証する側の機器である認証機器５１０と、認証される側の機器である認証対象機器５２０と、を備える。
【０１６４】
認証機器５１０は、記憶装置である認証機器記憶装置５１３と、暗号化されたデータをあらかじめ定められたデータである認証鍵によって復号する機能を備える認証機器コントローラ５１２と、演算処理を行う認証機器ＣＰＵ５１１と、を備える。
【０１６５】
認証機器コントローラ５１２は、接続された認証対象機器５２０の記憶装置である認証対象機器記憶装置５２３から格納されているデータを読みだす機能を有する。
【０１６６】
認証機器記憶装置５１３は、認証機器ＣＰＵ５１１及び認証機器コントローラ５１２が動作するために必要なメモリ領域を提供するとともに、復号試験用のデータである暗号化符帳と、暗号化符帳を正規の認証鍵によって復号したときに得られるデータである正解符帳と、あらかじめ定められた暗号化のためのデータである製造元認証鍵と、を格納する。
【０１６７】
認証機器記憶装置５１３は、アクセス制限の設けられた領域である保護領域５１３Ａに、認証機器記憶装置５１３に固有のＩＤである認証機器ＩＤ５１３Ｉと、この認証機器ＩＤ５１３Ｉとあらかじめ定められた暗号化のためのデータである認証機器製造元認証鍵とによって暗号化された認証鍵である認証機器暗号化認証鍵５１３Ｋと、を格納する。
【０１６８】
認証対象機器５２０は、認証対象機器記憶装置５２３と、演算装置である認証対象機器ＣＰＵ５２１と、暗号化されたデータを認証鍵によって復号する機能を備える認証対象機器コントローラ５２２と、を備える。
【０１６９】
認証対象機器コントローラ５２２は、接続された認証機器５１０の記憶装置である認証機器記憶装置５１３から格納されているデータを読みだす機能を有する。
【０１７０】
認証対象機器記憶装置５２３は、認証対象機器ＣＰＵ５２１及び認証対象機器コントローラ５２２が動作するために必要なメモリ領域を提供する。認証対象機器記憶装置５２３は、アクセス制限の設けられた領域である保護領域５２３Ａに、認証対象機器記憶装置５２３に固有のＩＤである媒体ＩＤ５２３Ｉと、この媒体ＩＤと製造元認証鍵とによって暗号化された認証鍵である暗号化認証鍵５２３Ｋと、を格納する。
【０１７１】
認証対象機器記憶装置５２３は、復号試験用のデータである認証機器暗号化符帳と、認証機器暗号化符帳を正規の認証鍵によって復号したときに得られるデータである認証機器正解符帳と、認証機器製造元認証鍵と、を格納する。
【０１７２】
図２０は、第２の機器認証システムの動作を示すフローチャートである。図２０に示すように、ステップＳ５０１において、認証機器５１０は認証機器コントローラ５１２により認証対象機器記憶装置５２３に格納されている暗号化認証鍵５２３Ｋを読みだす。すなわち、認証機器コントローラ５１２から読みだしコマンドが認証対象機器５２０に送信される。
【０１７３】
ステップＳ５０２において、認証対象機器５２０は暗号化認証鍵５２３Ｋを認証機器５１０に送信する。この際、媒体ＩＤ５２３Ｉも同時に認証機器５１０に送信される。
【０１７４】
ステップＳ５０３において、認証機器５１０は認証機器コントローラ５１２により暗号化認証鍵５２３Ｋを、製造元認証鍵と媒体ＩＤ５２３Ｉとによって復号し、認証鍵を得る。
【０１７５】
ここで、媒体ＩＤ５２３Ｉは媒体に固有であり、しかもアクセス制限の設けられているため、認証対象機器５２０を丸ごと複製しても、あるいは認証対象機器記憶装置５２３を丸ごと複製しても、複製できない。よって、不正に複製された暗号化認証鍵５２３Ｋは正しく復号されない。
【０１７６】
ステップＳ５０４において、認証機器５１０は認証機器ＣＰＵ５１１により、認証鍵を用いて認証機器記憶装置５１３に格納されている暗号化符帳を復号化し、復号化符帳を得る。
【０１７７】
ステップＳ５０５において、認証機器５１０は認証機器記憶装置５１３から正解符帳を読みだす。
【０１７８】
ステップＳ５０６において、認証機器５１０は復号化符帳と正解符帳とが一致するかを判定する。認証機器５１０は、復号化符帳と正解符帳とが一致しない場合、認証は失敗したと判定してステップＳ５０９に進み、復号化符帳と正解符帳とが一致する場合、認証は成功したと判定してステップＳ５０７に進む。
【０１７９】
ステップＳ５０７において、認証機器５１０は認証機器ＣＰＵ５１１から認証対象機器ＣＰＵに認証機器を認証するための認証命令が送信され、また、ステップＳ５０８において認証対象機器５２０は認証機器５１０からの認証命令を受信する。
【０１８０】
ステップＳ２０９において、認証機器５１０は認証機器ＣＰＵ５１１により認証対象機器ＣＰＵからのアクセスを受け付けない。
【０１８１】
図２１は、第２の機器認証システムの動作を示すフローチャートの続きである。図２１に示すように、ステップＳ６０１において、認証対象機器５２０は認証対象機器コントローラ５２２により認証機器記憶装置５１３に格納されている認証機器暗号化認証鍵５１３Ｋを読みだす。すなわち、認証対象機器コントローラ５２２から読みだしコマンドが認証機器５１０に送信される。
【０１８２】
ステップＳ６０２において、認証機器５１０は認証機器暗号化認証鍵５１３Ｋを認証対象機器５２０に送信する。この際、認証機器ＩＤ５１３Ｉも同時に認証対象機器５２０に送信される。
【０１８３】
ステップＳ６０３において、認証対象機器５２０は認証対象機器コントローラ５２２により認証機器暗号化認証鍵５１３Ｋを、認証機器製造元認証鍵と認証機器ＩＤ５１３Ｉとによって復号し、認証機器認証鍵を得る。
【０１８４】
ここで、認証機器ＩＤ５１３Ｉは認証機器に固有であり、しかもアクセス制限が設けられているため、認証機器５１０を丸ごと複製しても、あるいは認証機器記憶装置５１３を丸ごと複製しても、複製できない。よって、不正に複製された認証機器暗号化認証鍵５１３Ｋは正しく復号されない。
【０１８５】
ステップＳ６０４において、認証対象機器５２０は認証対象機器ＣＰＵ５２１により、認証機器認証鍵を用いて認証対象機器記憶装置５２３に格納されている認証機器暗号化符帳を復号化し、認証機器復号化符帳を得る。
【０１８６】
ステップＳ６０５において、認証対象機器５２０は認証対象機器記憶装置５２３から認証機器正解符帳を読みだす。
【０１８７】
ステップＳ６０６において、認証対象機器５２０は認証機器復号化符帳と認証機器正解符帳とが一致するかを判定する。認証対象機器５２０は、認証機器復号化符帳と認証機器正解符帳とが一致しない場合、認証は失敗したと判定してステップＳ６０９に進み、認証機器復号化符帳と認証機器正解符帳とが一致する場合、認証は成功したと判定してステップＳ６０７に進む。
【０１８８】
ステップＳ６０７において、認証機器５１０は認証対象機器ＣＰＵ５２１から認証機器ＣＰＵ５１１に各種の命令が送信され、また、ステップＳ６０８において認証機器５１０は認証対象機器５２０からの命令を受信し、以降認証機器５１０と認証対象機器５２０とは協働して動作する。
【０１８９】
ステップＳ６０９において、認証対象機器５２０は認証対象機器ＣＰＵ５２１により認証機器ＣＰＵ５１１からのアクセスを受け付けない。
【０１９０】
図２２は、第２の機器認証システムの変形例を示す図である。図２２に示すように、本実施形態においては、認証機器５１０はさらに認証機器ＣＰＵ保護手段５１４を備え、認証対象機器５２０はさらに認証対象機器ＣＰＵ保護手段２４を備えるように構成することができる。
【０１９１】
認証機器ＣＰＵ保護手段５１４及び認証対象機器ＣＰＵ保護手段５２４は、ハードウエアによって構成されてもソフトウエアによって実現されても、ハードウエアとソフトウエアによって構成されてもよい。認証機器ＣＰＵ保護手段５１４及び認証対象機器ＣＰＵ保護手段５２４は、例えば、認証機器ＣＰＵ５１１乃至認証対象機器ＣＰＵ５２１において動作するプログラムを実行直前まで暗号化したまま扱い、実行時に必要最低限な部分を安全に復号して処理を進めるような仕組みが挙げられる。
【０１９２】
認証機器ＣＰＵ保護手段５１４は、暗号化認証鍵５２３Ｋの復号化と、復号化符帳と正解符帳との検証処理を安全に保護するために設けられる。認証対象機器ＣＰＵ保護手段５２４は、認証機器暗号化認証鍵５１３Ｋの復号化と、認証機器復号化符帳と認証機器正解符帳との検証処理を安全に保護するために設けられる。
【０１９３】
以上述べたように、機器認証システムは、認証機器５１０が、認証機器ＣＰＵ５１１と、認証機器コントローラ５１２と、認証機器記憶装置５１３と、を備え、認証機器記憶装置５１３は暗号化符帳と正解符帳と製造元認証鍵とを格納し、保護領域５１３Ａに、認証機器ＩＤ５１３Ｉと、この認証機器ＩＤ５１３Ｉと認証機器製造元認証鍵とによって暗号化された認証鍵である認証機器暗号化認証鍵５１３Ｋとを格納し、認証対象機器５２０が、認証対象機器ＣＰＵ５２１と、認証対象機器コントローラ５２２と、認証対象機器記憶装置５２３と、を備え、認証対象機器記憶装置５２３は、認証機器暗号化符帳と、認証機器正解符帳と、認証機器製造元認証鍵と、を格納し、保護領域５２３Ａに媒体ＩＤ５２３Ｉと暗号化認証鍵５２３Ｋとを格納する。
【０１９４】
認証機器５１０は、認証機器コントローラ５１２により暗号化認証鍵５２３Ｋを製造元認証鍵と媒体ＩＤ５２３Ｉとによって復号して認証鍵を得、認証鍵を用いて暗号化符帳を復号して正解符帳と比較することにより認証対象機器の機器認証を行う。
【０１９５】
認証対象機器５２０は、認証対象機器コントローラ５２２により認証機器暗号化認証鍵５１３Ｋを認証機器製造元認証鍵と認証機器ＩＤ５１３Ｉとによって復号して認証機器認証鍵を得、認証機器認証鍵を用いて認証機器暗号化符帳を復号して認証機器正解符帳と比較することにより認証機器の機器認証を行う。
【０１９６】
従って、認証機器をさらに厳密に認証することが可能な、安価な機器認証システムを提供することが可能となるという効果がある。
【０１９７】
図２３は、第３の機器認証システムの構成を示す概要図である。図２３に示すように、機器認証システムは、映像や文字などの画像を含むコンテンツを再生する装置であるディスプレイ８０と、コンテンツを格納する媒体であるアタッチメント９０と、を備える。
【０１９８】
ディスプレイ８０は、記憶装置であるディスプレイ記憶装置８３と、暗号化されたデータをあらかじめ定められたデータである認証鍵によって復号する機能を備えるディスプレイコントローラ８２と、演算処理を行うディスプレイＣＰＵ８１と、入力信号のＯＮ／ＯＦＦを切り替えるスイッチＢ８４と、を備える。
【０１９９】
ディスプレイコントローラ８２は、接続されたアタッチメント９０の記憶装置であるアタッチメント記憶装置９３から格納されているデータを読みだす機能を有する。
【０２００】
ディスプレイ記憶装置８３は、ディスプレイＣＰＵ８１及びディスプレイコントローラ８２が動作するために必要なメモリ領域を提供するとともに、復号試験用のデータである暗号化符帳８３Ａと、暗号化符帳８３Ａを正規の認証鍵によって復号したときに得られるデータである正解符帳８３Ｓと、アタッチメント内部の保護領域へアクセスするためのアクセス鍵８３Ｋと、を格納する。
【０２０１】
アタッチメント９０は、アタッチメント記憶装置９３と、演算装置であるアタッチメントＣＰＵ９１と、コンテンツを復号する機能を有するアタッチメントコントローラ９２と、入力信号のＯＮ／ＯＦＦを切り替えるスイッチＡ９４と、アタッチメント秘密記録部９５を備える。アタッチメント秘密記録部９５にはアタッチメント記録装置９３内部の保護領域９３Ａへアクセスするためのアクセス鍵９５Ｋを備える。このアクセス鍵９５Ｋはディスプレイのアクセス鍵８３Ｋとは異なる値であるが、所定の処理により保護領域９３Ａへのアクセスが行える。例えば 「4C Entity, LLC. “Content Protection for Recordable Media Specification, SD Memory Card Book, Common Part”, Revision 0.961, May 3, 2007. <http://www.4centity.com/>」のProtected Area が保護領域９３Ａに該当する。なお保護領域へのアクセスを定められた機器のみに制限するためにディスプレイとアタッチメントに記録されたアクセス鍵は外部から読み出し不可とする実装が要求される。
【０２０２】
アタッチメント記憶装置９３は、コンテンツや認証鍵を保護記録するのに用いられる。アタッチメント記憶装置９３は、アタッチメント記憶装置９３に固有のＩＤである媒体ＩＤ９３Ｉと、アクセス制限のない通常領域９３Ｂとアクセス制限の設けられた領域である保護領域９３Ａを有する。この保護領域に認証鍵９３Ｋとコンテンツ９３Ｃを格納する。認証鍵９３Ｋとコンテンツ９３Ｃとはそれぞれ中間鍵で暗号化されて通常領域９３Ｂに格納され、その中間鍵が保護領域９３Ａに格納される場合もある。その場合において、以下の記述で保護領域からアクセス鍵を用いて認証鍵もしくはコンテンツを取り出す作業を行う場合、それぞれの中間鍵を読み出し、通常領域に書かれている暗号化認証鍵もしくは暗号化コンテンツを読み出して復号して認証鍵もしくはコンテンツを取り出す作業とすることとする。この方法で必要な保護領域のサイズを小さくする効果が得られる。
【０２０３】
図２４は、第３の実施形態の機器認証システムの動作を示すフローチャートである。図９に示すように、ステップ９０１において、ディスプレイ８０は、ディスプレイコントローラ９２によりアタッチメント記憶装置９３の保護領域９３Ａに格納されている認証鍵９３Ｋを読みだすためいくつかの所定のコマンドをアタッチメント９０に送信し、アクセス処理を行う。アクセス処理がうまく行えた場合にはアタッチメント９０は認証鍵９３Ｋを含むレスポンスをディスプレイに送信する。
【０２０４】
ステップ９０４において、ディスプレイ８０はレスポンスを受信後、スイッチＡ９４をＯＮにする。
【０２０５】
ステップ９０５において、ディスプレイ８０はディスプレイコントローラ８２により認証鍵９３Ｋを得る。
【０２０６】
ステップＳ９０６において、ディスプレイ８０はディスプレイＣＰＵ８１により認証鍵を用いてディスプレイ記憶装置８３に格納されている暗号化符帳を復号し、復号化符帳を得る。ここで、復号化符帳は認証機器であるディスプレイ８０の起動画面、又はディスプレイ８０の起動時に再生される効果音であってもよい。
【０２０７】
ステップＳ９０７において、ディスプレイ８０はディスプレイ記憶装置８３に格納されている正解符帳を読みだす。
【０２０８】
ステップＳ９０８において、ディスプレイ８０は復号化符帳と正解符帳とが一致するかを判定する。ディスプレイ８０は、復号化符帳と正解符帳とが一致しない場合、認証は失敗したと判定してステップＳ９１１に進み、復号化符帳と正解符帳とが一致する場合、認証は成功したと判定してステップＳ９０９に進む。また復号化符帳を得た後に、Hash関数などのある演算を行って得られた値を正解符帳として扱うことも可能である。この場合には正解符帳のサイズを削減できる、という効果がある。
【０２０９】
ステップＳ９０９において、ディスプレイ８０はアタッチメント９０に認証成功を送信し、ステップＳ９１０においてアタッチメント９０は認証成功を受信する。
【０２１０】
ステップＳ９１１において、ディスプレイ８０はディスプレイＣＰＵ８１によりアタッチメントＣＰＵ９１からのアクセスを受け付けない。
【０２１１】
図２５は、第３の機器認証システムの動作を示すフローチャートの続きである。図２５に示すように、ステップＳ１００１において、ディスプレイ８０は、スイッチＢ８４をＯＮにする。
【０２１２】
ステップＳ１００２において、アタッチメント９０はアタッチメントコントローラ９２を起動する。ステップＳ１００３において、アタッチメント９０はアタッチメントコントローラ９２によりアタッチメント記憶装置からコンテンツ９３Ｃを読み出し、デコード処理等を施し表示可能な出力コンテンツを生成する。ステップＳ１００４においてアタッチメント９０は出力したコンテンツをディスプレイ８０に送信する。
【０２１３】
ステップＳ１００５において、ディスプレイ８０は出力コンテンツを受信し、ステップＳ１００６において出力コンテンツを表示する。
【０２１４】
以上述べたように、本実施形態の機器認証システムは、ディスプレイ８０が、ディスプレイＣＰＵ８１と、ディスプレイコントローラ８２と、ディスプレイ記憶装置８３と、を備え、ディスプレイ記憶装置８３は暗号化符帳と正解符帳とアクセス鍵とを格納し、アタッチメント９０が、アタッチメントＣＰＵ９１と、アタッチメント記憶装置９３と、を備え、アタッチメント記憶装置９３は保護領域９３Ａに認証鍵９３Ｋとを格納する。ディスプレイ８０は、ディスプレイコントローラ８２により認証鍵９３Ｋを得、認証鍵を用いて暗号化符帳を復号して正解符帳と比較することにより認証対象機器の機器認証を行う。認証鍵は保護領域に記録されるため、アクセス鍵を知らないと読み書きできない。
【０２１５】
従って、コンテンツ保護記録に使われる保護領域に認証鍵を持つアタッチメントだけがディスプレイに接続できるという効果がある。また、違法に複製されたコンテンツやアタッチメントを適確に判定することができるという効果がある。
【０２１６】
図２６は、図１６に示した第１の機器認証システムの他の動作を示すフローチャートである。図２６に示すように、ステップＳ１１０１において、認証対象機器５２０は認証機器５１０に装着される。
【０２１７】
ステップＳ１１０２において、認証機器５１０は認証対象機器５２０が装着されたかを判定する。認証機器５１０は認証対象機器５２０が装着されたと判定した場合、ステップＳ１１０３に進み、装着されていないと判定した場合は、ステップＳ１１０２に戻る。
【０２１８】
認証機器コントローラ５１２は、認証対象機器記憶装置５２３から暗号化符帳（ｘ）を使用して暗号化認証鍵を読みだし、復号して認証鍵（Ｎｐ）を得る。以下に手順を説明する。
【０２１９】
ステップＳ１１０３において、認証機器５１０は認証対象機器５２０に暗号化符帳である任意の数値（ｘ）を送信する。
【０２２０】
ステップＳ１１０４において、認証対象機器５２０は数値（ｘ）を受信したかを判定し、受信した場合はステップＳ１１０５に、受信していない場合はステップＳ１１０４に進む。
【０２２１】
ステップＳ１１０５において、認証対象機器５２０は、認証鍵である認証対象機器の固有値（Ｎｐ）を（ｘ）を用いて認証演算し、演算結果ｆ（Ｎｐ，ｘ）を得る。
【０２２２】
ここで、認証演算ｆ（ａ，ｂ）は認証機器５１０と認証対象機器５２０が演算可能な演算式である。
【０２２３】
ステップＳ１１０６において、認証対象機器５２０は認証機器５１０に認証演算結果ｆ（Ｎｐ，ｘ）を送信する。
【０２２４】
ステップＳ１１０７において、認証機器５１０は認証演算結果ｆ（Ｎｐ，ｘ）を受信したかを判定し、受信した場合はステップＳ１１０８に進み、受信していない場合にはステップＳ１１０７に戻る。
【０２２５】
ステップＳ１１０８において、認証機器５１０はｆ（Ｎｐ，ｘ）を逆演算して（Ｎｐ）を得る。
【０２２６】
正解符帳送信手段は、正解符帳（Ｎｃ）を、認証鍵（Ｎｐ）を使用してあらかじめ定められた認証式ｆ（ａ，ｂ）によって認証演算し、認証結果ｆ（Ｎｃ，Ｎｐ）を認証対象機器５２０に送信する。
【０２２７】
ステップＳ１１０９において、認証機器５１０は正解符帳である認証機器の固有値（Ｎｃ）を、（Ｎｐ）を用いて認証演算し、演算結果ｆ（Ｎｃ，Ｎｐ）を得る。
【０２２８】
図２７は、図１６に示した第１の機器認証システムの他の動作を示すフローチャートの続きである。図２７に示すように、ステップＳ１２０１において、認証機器５１０は認証対象機器５２０に認証演算結果ｆ（Ｎｃ，Ｎｐ）を送信する。
【０２２９】
ステップＳ１２０２において、認証対象機器５２０は認証演算結果ｆ（Ｎｃ，Ｎｐ）を受信したかを判定し、受信した場合はステップＳ１２０３に進み、受信しない場合にはステップＳ１２０２に戻る。
【０２３０】
ステップＳ１２０３において、認証対象機器５２０は認証演算結果ｆ（Ｎｃ，Ｎｐ）を逆演算して（Ｎｃ）を得る。
【０２３１】
正解符帳比較手段は、認証対象機器５２０が認証結果を逆演算した正解符帳（Ｎｃ）を認証対象機器記憶装置５２３から暗号化符帳（ｘ）を使用して読みだし、復号して（Ｎｃ）’を得、送信前の正解符帳（Ｎｃ）と比較する。
【０２３２】
ステップＳ１２０４において、認証対象機器５２０は（Ｎｃ）を、（ｘ）を用いて認証演算し、演算結果ｆ（Ｎｃ，ｘ）を得る。
【０２３３】
ステップＳ１２０５において、認証対象機器５２０は認証演算結果ｆ（Ｎｃ，ｘ）を認証機器５１０に送信する。
【０２３４】
ステップＳ１２０６において、認証機器５１０は認証演算結果ｆ（Ｎｃ，ｘ）を受信したかを判定し、受信した場合にはステップＳ１２０７に進み、受信していない場合にはステップＳ１２０６に戻る。
【０２３５】
ステップＳ１２０７において、認証機器５１０は認証演算結果ｆ（Ｎｃ，ｘ）を逆演算して（Ｎｃ）’を得る。
【０２３６】
判定許可手段は、読み出した正解符帳（Ｎｃ）’と送信前の正解符帳（Ｎｃ）とが一致するとき認証対象機器５２０との協働動作を許可する。
【０２３７】
ステップＳ１２０８において、認証機器５１０は（Ｎｃ）と（Ｎｃ）’とが一致するかを判定し、一致した場合は認証成功としてステップＳ１２０９に進み、一致しない場合は認証失敗としてステップＳ１２１１に進む。
【０２３８】
ステップＳ１２０９において、認証機器５１０は認証機器ＣＰＵ５１１から認証対象ＣＰＵ５２１に命令を送信し、ステップＳ１２１０において認証対象機器５２０は認証機器ＣＰＵ５１１からの命令を受信し、以降認証機器５１０と認証対象機器５２０とは協働して動作する。
【０２３９】
ステップＳ１２１１において、認証機器５１０は認証機器ＣＰＵ５１１により認証対象機器ＣＰＵ５２１からのアクセスを受け入れない。
【０２４０】
以上述べた機器認証システムは、認証機器５１０と認証対象機器５２０とが共通の演算処理を利用するソフトウエア処理によって機器認証を実現する。
【０２４１】
従って、認証対象機器にコンテンツが保護されて格納されれば、認証処理とコンテンツ保護記録の両方に関し保護領域を活用した方法により実現するように構成できる。従って、新たなハードウエアを作成する必要がなく、認証機器を適確に認証することが可能な、安価な機器認証システムを提供することが可能となるという効果がある。
【０２４２】
以上述べたように、本実施形態の車載表示装置は、中央情報表示装置１１がＬＣＤ１０１を備え、拡張装置２２が低性能ＣＰＵ７０２などの装置を備え、個別機能装置３２が高性能ＣＰＵ３０７Ａなどの主要装置を備える。このため、中央情報表示装置１１及び拡張装置２２の製造コストが低く抑えられ、拡張装置２２が中央情報表示装置１１とともに自動車に設置されても、拡張機能を全く望まないユーザの経済的負担を低く抑えることができるという効果がある。
【産業上の利用可能性】
【０２４３】
本発明は、道路を走行する全ての車両に対して適用可能である。本発明の車載用表示装置は自動車やバスやオートバイなどの車両に設置される。本発明の車載用表示装置は予め自動車などのフロントパネルに組み込まれていてもよく、また、フロントパネルとは別体に構成されて後から自動車などに設置されてもよい。
【符号の説明】
【０２４４】
１０，１１：中央情報表示装置、２０，２１，２２：拡張装置、
３０，３２：個別機能装置、３０１：ＧＰＳアンテナモジュール、
３０２，３０７：ナビゲーションモジュール、
３０３，３０８：一体型ナビゲーションモジュール、
３０４，３０９：ＡＶモジュール、３０５：ワンセグアンテナモジュール、
３０６，３１０：ワンセグモジュール。【０２４５】
５１０：認証機器、５１１：認証機器ＣＰＵ、
５１２：認証機器コントローラ、５１３：認証機器記憶装置、
５２０：認証対象機器、５２１：認証対象機器ＣＰＵ、５２３：認証対象機器記憶装置。
【図１】
2010026756.tif 000003
【図２】
2010026756.tif 000004
【図３】
2010026756.tif 000005
【図４】
2010026756.tif 000006
【図５】
2010026756.tif 000007
【図６】
2010026756.tif 000008
【図７】
2010026756.tif 000009
【図８】
2010026756.tif 000010
【図９】
2010026756.tif 000011
【図１０】
2010026756.tif 000012
【図１１】
2010026756.tif 000013
【図１２】
2010026756.tif 000014
【図１３】
2010026756.tif 000015
【図１４】
2010026756.tif 000016
【図１５】
2010026756.tif 000017
【図１６】
2010026756.tif 000018
【図１７】
2010026756.tif 000019
【図１８】
2010026756.tif 000020
【図１９】
2010026756.tif 000021
【図２０】
2010026756.tif 000022
【図２１】
2010026756.tif 000023
【図２２】
2010026756.tif 000024
【図２３】
2010026756.tif 000025
【図２４】
2010026756.tif 000026
【図２５】
2010026756.tif 000027
【図２６】
2010026756.tif 000028
【図２７】
2010026756.tif 000029
【国際調査報告】
2010026756.tif 000030
2010026756.tif 000031
2010026756.tif 000032
2010026756.tif 000033
2010026756.tif 000034